(57)【要約】【課題】現代の建物内で足下に寒さを感じることなく、囲炉裏風の加熱調理を楽しむことが可能な自在鉤付囲炉裏型コタツテーブルを提供する。【解決手段】自在鉤付囲炉裏型コタツテーブル１は、天板１０と、加熱炉２０と、加熱炉２０の上方で加熱調理用容器５０を吊ることができ、加熱調理用容器５０の高さを調整することが可能な自在鉤部材３０と、脚部材４０とを備える。加熱炉２０は、枠部材２１と、枠部材２１の開口２１ａに収容されるように枠部材２１の上部に取り付けられ、発熱材２５が装入される金属製の発熱材用容器２２と、枠部材２１の下部に取り付けられ、格子状に配置された複数の棒状部材２３と、発熱材用容器２２と枠部材２１との間に配置されたセラミックス製の断熱部材２４とを含む。発熱材２５は、加熱により遠赤外線を発生する岩盤石２５ａ、砕石２５ｂからなる第１層と、木炭２５ｃからなる第２層とを含む。【選択図】図３
2008264094.tif 000002
【特許請求の範囲】
【請求項１】
天板と、
前記天板に設けられた加熱炉と、
前記加熱炉の上方で加熱調理用容器を吊ることができ、加熱調理用容器の高さを調整することが可能な自在鉤部材と、
前記天板を支持する脚部材とを備え、
前記加熱炉は、
中央に開口を有する枠部材と、
前記枠部材の開口に収容されるように前記枠部材の上部に取り付けられ、発熱材が装入される金属製の発熱材用容器と、
前記枠部材の下部に取り付けられ、格子状に配置された複数の棒状部材と、
前記発熱材用容器と前記枠部材との間に配置されたセラミックス製の断熱部材と
を含み、
前記発熱材は、前記発熱材用容器内に配置され、加熱により遠赤外線を発生する岩石と砕石とからなる第１層と、前記第１層の上に配置され、木炭からなる第２層とを含む、
自在鉤付囲炉裏型コタツテーブル。
【請求項２】
前記複数の棒状部材の外周面には、加熱により遠赤外線を発生する材料が付着されている、請求項１に記載の自在鉤付囲炉裏型コタツテーブル。
【発明の詳細な説明】
【技術分野】
【０００１】
この発明は、一般的には囲炉裏型テーブルに関し、特定的には加熱調理用容器を吊るための自在鉤を備えた自在鉤付囲炉裏型コタツテーブルに関するものである。
【背景技術】
【０００２】
この種の自在鉤付囲炉裏型テーブルは、従来から、たとえば、特開２００４−１２１５５６号公報（特許文献１）に記載されている。この公報に記載された調理用テーブルは、鍋料理を調理する場合に、旧来の囲炉裏で行われていたように自在鉤に鍋を吊って調理をするという風情が楽しめるように構成されている。
【特許文献１】特開２００４−１２１５５６号公報
【発明の開示】
【発明が解決しようとする課題】
【０００３】
しかしながら、特開２００４−１２１５５６号公報（特許文献１）に記載された調理用テーブルは、鍋料理等を調理することができるが、冬場にテーブルを囲んで座る複数の人々は足下に寒さを感じるので、室内に囲炉裏風テーブルとは別に暖房設備が必要であった。このため、現代の建物内で囲炉裏風の加熱調理を楽しむ上で障害になっていた。
【０００４】
そこで、この発明の目的は、現代の建物内で足下に寒さを感じることなく、囲炉裏風の加熱調理を楽しむことが可能な自在鉤付囲炉裏型コタツテーブルを提供することである。
【課題を解決するための手段】
【０００５】
この発明に従った自在鉤付囲炉裏型コタツテーブルは、天板と、この天板に設けられた加熱炉と、この加熱炉の上方で加熱調理用容器を吊ることができ、加熱調理用容器の高さを調整することが可能な自在鉤部材と、天板を支持する脚部材とを備える。加熱炉は、中央に開口を有する枠部材と、この枠部材の開口に収容されるように枠部材の上部に取り付けられ、発熱材が装入される金属製の発熱材用容器と、枠部材の下部に取り付けられ、格子状に配置された複数の棒状部材と、発熱材用容器と枠部材との間に配置されたセラミックス製の断熱部材とを含む。発熱材は、発熱材用容器内に配置され、加熱により遠赤外線を発生する岩石と砕石とからなる第１層と、この第１層の上に配置され、木炭からなる第２層とを含む。
【０００６】
この発明の自在鉤付囲炉裏型コタツテーブルにおいては、金属製の発熱材用容器には第１層と第２層とから構成される発熱材が配置されている。上層に配置された木炭を燃焼させると、下層に配置された岩石が加熱されることにより遠赤外線を発生するとともに、木炭の燃焼によって発生した熱は、発熱材用容器の上部と下部から伝達される。これにより、囲炉裏型コタツテーブルの下方には、熱が、発熱材用容器の下部から複数の棒状部材の間を通じて、伝達されることによって、囲炉裏型コタツテーブルを囲む人間の足下を暖めることができる。一方、囲炉裏型コタツテーブルの上方には、熱が、発熱材用容器の上部から、加熱炉の上に置かれた加熱調理用容器に伝達されることによって、煮る、焼く等の加熱調理を行うことができる。
【０００７】
また、この発明の自在鉤付囲炉裏型コタツテーブルにおいては、金属製の発熱材用容器に配置された岩石が木炭の燃焼によって加熱されることにより、加熱炉から遠赤外線が放出される。この遠赤外線の放出によって、囲炉裏型コタツテーブルを囲む人間を身体の芯から暖めることができる。これにより、人間の血液の循環を促すので、健康的な暖房を得ることができる。
【０００８】
さらに、この発明の自在鉤付囲炉裏型コタツテーブルにおいては、セラミックス製の断熱部材が発熱材用容器と枠部材との間に配置されているので、発熱材用容器で発生した熱は加熱炉の外側部を構成する枠部材に伝達されにくい。一方、発熱材容器の下方には、複数の棒状部材が格子状に配置されている。これらにより、囲炉裏型コタツテーブルを囲む人間が手や足にて火傷等をすることを防止することができる。
【０００９】
この発明の自在鉤付囲炉裏型コタツテーブルにおいては、複数の棒状部材の外周面には、加熱により遠赤外線を発生する材料が付着されていることが好ましい。
【００１０】
このように構成することにより、囲炉裏型コタツテーブルの下方には、熱が、発熱材用容器の下部から複数の棒状部材の間を通じて、伝達されることによって、囲炉裏型コタツテーブルを囲む人間の足下を暖めるとともに、複数の棒状部材の外周面に付着された材料が加熱されることにより、複数の棒状部材の外周面から遠赤外線が放出される。この遠赤外線の放出によって、囲炉裏型コタツテーブルを囲む人間の下半身を芯から暖めることができる。これにより、人間の下半身の血液の循環を促すので、健康的な暖房を得ることができる。
【発明の効果】
【００１１】
以上のように、この発明によれば、現代の建物内で足下に寒さを感じることなく、囲炉裏風の加熱調理を楽しむことができるとともに、人間の血液の循環を促すので、健康的な暖房を得ることができる。
【発明を実施するための最良の形態】
【００１２】
この発明の一つの実施の形態を図１〜図３に基づいて説明する。
【００１３】
図１は、この発明の一つの実施の形態として座卓タイプの自在鉤付囲炉裏型コタツテーブルの全体を示す斜視図である。
【００１４】
図１に示すように、座卓タイプの囲炉裏型コタツテーブル１は、天板１０と、天板１０に設けられた加熱炉２０と、加熱炉２０の上方で、鍋、鉄瓶等の加熱調理用容器５０（図１の例では鉄瓶）を吊ることができ、加熱調理容器５０の高さを調整することが可能な自在鉤部材３０と、天板１０を支持する脚部材４０とを備える。加熱炉２０は、天板１０のほぼ中央部に配置されている。自在鉤部材３０によって加熱調理用容器５０を吊り下げて加熱炉２０の上方に位置づけることによって煮る、焼く等の加熱調理を行う。自在鉤部材３０は、囲炉裏型コタツテーブル１の本体に直接取り付けられており、取り付け取り外し可能であり、折りたたむことも可能である。具体的には、自在鉤部材３０を構成する自在鉤３１の上方端部には、ロープ３２が取り付けられている。ロープ３２の先端部には引っ掛け部材３３が取り付けられている。引っ掛け部材３３は、自在鉤３１を吊り下げることができるように支柱部材３４に引っ掛けられている。支柱部材３４は、主柱部材３５に支持され、ネジで固定されている。支柱部材３４を主柱部材３５から分離すると、支柱部材３４と主柱部材３５との間に接続された接続部材３６を介して、支柱部材３４と主柱部材３５とを折り畳むことができる。主柱部材３５は、天板１０を支持する天板支持部材１１と、脚部材４０間を接続する脚接続部材４１とに支持され、ネジで固定されている。主柱部材３５は、天板支持部材１１と脚接続部材４１に対して取り付け取り外し可能である。天板１０は、天板支持部材１１と脚部材４０に対して取り付け取り外し可能である。
【００１５】
図２は、図１に示された囲炉裏型コタツテーブルに組み込まれる加熱炉を一部分解して示す分解斜視図である。
【００１６】
図２に示すように、加熱炉２０は、木製の枠部材２１と、金属製、たとえば、ステンレス鋼製の発熱材用容器２２と、複数の木製の棒状部材２３とから構成される。木製の枠部材２１は、中央に開口２１ａを有する。発熱材用容器２２は、枠部材２１の開口２１ａに収容されるように枠部材２１の上部に取り付けられ、発熱材用容器２２には発熱材２５が装入される。複数の木製の棒状部材２３は、枠部材２１の下部に取り付けられ、格子状に配置されている。加熱炉２０は直方体状に形成されている。ほぼ矩形状の開口２１ａが枠部材２１の中央に形成されている。発熱材用容器２２の周縁部２２ａは、枠部材２１の開口２１ａを取り囲む周縁部２１ｂの上に配置されている。発熱材用容器２２の凹部２２ｂには、発熱材２５が装入される。複数の棒状部材２３は一方向に間隔をあけて配置されている。棒状部材２３の各々の両端部は、枠部材２１の開口２１ａを形成する内周側面に固着されている。
【００１７】
図３は、図２に示された加熱炉のＩＩＩ−ＩＩＩ線に沿った方向から見た概略的な断面図である。
【００１８】
図３に示すように、セラミックス製の断熱部材２４が、枠部材２１の周縁部２１ｂと発熱材用容器２２の周縁部２２ａとの間に介在し、枠部材２１の内周側面に密着するように取り付けられている。断熱部材２４の下端面は、棒状部材２３の各々の両端部に密着するように配置されている。発熱材２５は、発熱材用容器２２内に配置され、加熱により遠赤外線を発生する岩石としての天然の鉱石からなる多数の岩盤石２５ａと、砕石２５ｂとからなる第１層と、この第１層の上に配置され、多数の木炭２５ｃからなる第２層とから構成される。加熱により遠赤外線とマイナスイオンを発生する岩石としての天然の鉱石からなる岩盤石２５ａは、たとえば、株式会社エスティーエックス製の商品名「高千穂天照石（あまてらすいし）」、または、商品名「ブラックシリカ」等が用いられる。
【００１９】
以上のように構成された座卓タイプの自在鉤付囲炉裏型コタツテーブル１において、発熱材用容器２２には第１層と第２層とから構成される発熱材２５が配置されているので、上層に配置された木炭２５ｃを燃焼させると、下層に配置された岩盤石２５ａが加熱されることにより遠赤外線を発生するとともに、木炭２５ｃの燃焼によって発生した熱は、発熱材用容器２２の上部と下部から伝達される。これにより、囲炉裏型コタツテーブル１の下方には、熱が、発熱材用容器２２の下部から複数の棒状部材２３の間を通じて、伝達されることによって、囲炉裏型コタツテーブル１を囲む人間の足下を暖めることができる。一方、囲炉裏型コタツテーブル１の上方には、熱が、発熱材用容器２２の上部から、加熱炉２０の上に置かれた加熱調理用容器５０に伝達されることによって、煮る、焼く等の加熱調理を行うことができる。
【００２０】
また、この発明の自在鉤付囲炉裏型コタツテーブル１においては、発熱材用容器２２に配置された岩盤石２５ａが木炭２５ｃの燃焼によって加熱されることにより、加熱炉２０から遠赤外線が放出される。この遠赤外線の放出によって、食材を早く加熱調理することができるとともに、囲炉裏型コタツテーブル１を囲む人間を身体の芯から暖めることができる。これにより、人間の血液の循環を促すので、健康的な暖房を得ることができる。遠赤外線の放出は、鉱石による様々な自然のエネルギーによって健康促進、癒しなどの種々の効果があるといわれている。本発明の自在鉤付囲炉裏型コタツテーブル１を取り囲む複数の人間は、旧来の囲炉裏で行われていたように、自在鉤部材３０で鍋や鉄瓶を吊って加熱調理をするという風情を楽しむことができるとともに、放出される遠赤外線の効果によって、身体の芯から温まることができ、微細な血管の先まで血液の循環を促し、細胞を活性化させ、新陳代謝を促すことができるので、足首、膝、関節、腰等の痛みや疲労を和らげることができるという効能を期待することができる。
【００２１】
さらに、この発明の自在鉤付囲炉裏型コタツテーブル１においては、セラミックス製の断熱部材２４が発熱材用容器２２と枠部材２１との間に配置されているので、発熱材用容器２２で発生した熱は加熱炉２０の外側部を構成する枠部材２１に伝達されにくい。一方、発熱材容器２２の下方には、複数の棒状部材２３が格子状に配置されている。これらにより、囲炉裏型コタツテーブル１を囲む人間が手や足にて火傷等をすることを防止することができる。
【００２２】
次に、試作した自在鉤付囲炉裏型コタツテーブル１を用いて、加熱炉から発生する熱によって得られる周囲の温度を測定した結果について説明する。
【００２３】
試作した自在鉤付囲炉裏型コタツテーブル１において、図２と図３に示される加熱炉２０の各部の寸法は以下のとおりである。枠部材２１の周縁部２１ｂの幅が２５ｍｍ、厚み（高さ）が１４０ｍｍである。ステンレス鋼製の発熱材用容器２２の深さが１００ｍｍである。棒状部材２３の外径が２０ｍｍである。棒状部材２３は、枠部材２１の下面から２０ｍｍの高さの位置に取り付けられている。棒状部材２３の上面と発熱材用容器２２の底面との間の間隔は２０ｍｍである。セラミックス製の断熱部材２４の厚みは３ｍｍである。格子状に配置された複数の棒状部材２３の間隔は１５ｍｍである。
【００２４】
発熱材２５の第１層を構成する岩盤石２５ａと砕石２５ｂの混合比率は２０：８０とした。岩盤石２５ａは、商品名「高千穂天照石」を用いた。砕石２５ｂは、外径が５ｍｍ程度のものを用いた。上記のように構成された第１層の上に多数の木炭２５ｃからなる第２層を配置することによって発熱材２５を構成した。木製の棒状部材２３の外周面には、熱反射効果をもたらすために、耐熱塗料と、加熱により遠赤外線を発生する岩盤粉（商品名「高千穂天照石」の粉）とを８：２の割合で混合した白色の塗料を塗布した。
【００２５】
以上のように構成された加熱炉２０を用いて、上層の木炭２５ｃを燃焼させることによって、下層の岩盤石２５ａと砕石２５ｂを加熱した。そして、加熱炉２０の周囲の温度を測定した。加熱前の外気温は７℃であった。加熱後の温度測定は、温度センサの先端部に直径４０ｍｍ、長さ１５０ｍｍのソーセージを挿入したものを用いて、ソーセージの中央部の温度を測定することによって行った。このような温度測定において、ソーセージの中央部の温度が上昇していれば、遠赤外線の発生が認められる。その結果、加熱炉２０の上方では、加熱調理ができる程度の１００℃以上の高温が得られた。格子状に配置された棒状部材２３の下方では、枠部材２１の下面近傍で温度を測定すると、６０分後にはソーセージの中央部の温度が５５℃まで上昇したので、遠赤外線の発生が認められた。
【００２６】
この結果から、囲炉裏型コタツテーブル１の下方には、熱が、発熱材用容器２２の下部から複数の棒状部材２３の間を通じて、伝達されることによって、囲炉裏型コタツテーブル１を囲む人間の足下を暖めることができ、囲炉裏型コタツテーブル１の上方には、熱が、発熱材用容器２２の上部から、加熱炉２０の上に置かれた加熱調理用容器５０に伝達されることによって、煮る、焼く等の加熱調理を行うことができることが確認された。
【００２７】
また、囲炉裏型コタツテーブル１においては、複数の棒状部材２３の外周面には、加熱により遠赤外線を発生する材料が付着されているので、囲炉裏型コタツテーブル１の下方には、熱が、発熱材用容器２２の下部から複数の棒状部材２３の間を通じて、伝達されることによって、囲炉裏型コタツテーブル１を囲む人間の足下を暖めるとともに、複数の棒状部材２３の外周面に付着された材料が加熱されることにより、複数の棒状部材２３の外周面から遠赤外線が放出されることが確認された。この遠赤外線の放出によって、囲炉裏型コタツテーブル１を囲む人間の下半身を芯から暖めることができ、人間の下半身の血液の循環を促すので、健康的な暖房を得ることができることが確認された。
【００２８】
図４は、この発明のもう一つの実施の形態として、座卓タイプの自在鉤付囲炉裏型コタツテーブルを示す斜視図である。
【００２９】
図４に示すように、座卓タイプの囲炉裏型コタツテーブル１の加熱炉２０を使用しない場合には、加熱炉２０の上を覆うように矩形状の上蓋２６を配置し、夏季等に暖房が不要の場合には、加熱炉２０の下を覆うように下蓋（図示せず）を取り付けることができる。このようにすることにより、加熱炉２０を用いない場合には本発明の囲炉裏型コタツテーブル１を通常の座卓として用いることができる。
【００３０】
図５は、この発明の別の実施の形態として、ダイニングタイプの自在鉤付囲炉裏型コタツテーブルを示す斜視図である。
【００３１】
図５に示すように、脚部４０の長さを長くすることにより、椅子に座って囲炉裏型コタツテーブルを囲むことができるようにダイニングタイプのテーブルとして、囲炉裏型コタツテーブル２を構成してもよい。この場合、加熱炉２０を用いない場合には加熱炉２０の上を覆うように矩形状の上蓋２６を配置することができ、夏季等に暖房が不要の場合には加熱炉２０の底部を覆うように矩形状の下蓋２７を取り付けることができるようにしてもよい。このようにすることにより、本発明の囲炉裏型コタツテーブル２を通常のダイニングテーブルとして用いることができる。
【００３２】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものである。
【図面の簡単な説明】
【００３３】
【図１】この発明の一つの実施の形態として座卓タイプの自在鉤付囲炉裏型コタツテーブルの全体を示す斜視図である。
【図２】図１に示された囲炉裏型コタツテーブルに組み込まれる加熱炉を一部分解して示す分解斜視図である。
【図３】図２に示された加熱炉のＩＩＩ−ＩＩＩ線に沿った方向から見た概略的な断面図である。
【図４】この発明のもう一つの実施の形態として、座卓タイプの自在鉤付囲炉裏型コタツテーブルを示す斜視図である。
【図５】この発明の別の実施の形態として、ダイニングタイプの自在鉤付囲炉裏型コタツテーブルを示す斜視図である。
【符号の説明】
【００３４】
１，２：囲炉裏型コタツテーブル、１０：天板、２０：加熱炉、３０：自在鉤付部材、４０：脚部材、２１：枠部材、２２：発熱材用容器、２３：棒状部材、２４：断熱部材、２５：発熱材。
【図１】
2008264094.tif 000003
【図２】
2008264094.tif 000004
【図３】
2008264094.tif 000005
【図４】
2008264094.tif 000006
【図５】
2008264094.tif 000007